(57)【要約】      （修正有）【課題】支柱の垂直設置が容易で安定し、支柱に穿設された取付孔と棚受け部材の強度を保持し、棚板及び棚受け部材の取付位置の安定と水平性を持つ収納装置を提供する。【解決手段】壁面に取り付けられる２本の支柱１の対向する側面に取り付けられる棚受け部材３，４と棚受け部材間に取り付けられ懸架する棚板５とで構成される収納装置で、開放側凸部平行面に穿設された複数の取付孔Ｂと、底辺面に複数の壁面固定孔が穿設された断面が上辺の開放した中空凸字状型材１ａに、中空凸字状型材１ｂを内接嵌合し、両側面に凹溝部２を有し略角柱状となる支柱１と、縦片３３と横片３４とで断面略Ｌ字状に形成した棚受け部と、支柱の側面凹溝部に嵌挿され支柱凹溝部当接面の上下両端近傍に取付孔に係合する係合突起３２を突設した垂直支持部３０と棚受け部横片を保持する水平支持部３１とで断面略Ｌ字状に形成した支持材が棚受け部長手端部近傍に重合固着される。【選択図】図６
2005253690.tif 000002
【特許請求の範囲】
【請求項１】
少なくとも２本の支柱と、該支柱の対向する側面にそれぞれ取り付けられる棚受け部材と、該棚受け部材間に取り付けられ懸架する棚板とで構成される収納装置において、前記支柱は両側面に凹溝部を有する略角柱状であって、前記凹溝部の天地方向に間隔を隔てて複数の取付孔が穿設されてなり、前記棚受け部材が、それぞれ縦片と横片とで断面略Ｌ字状に形成される棚受け部と、前記支柱側面の凹溝部に嵌挿され前記支柱の凹溝部に当接する面の上下両端近傍に前記取付孔に係合する係合突起を突設した垂直支持部と前記棚受け部横片を保持する水平支持部とで断面略Ｌ字状に形成される支持材とからなることを特徴とする収納装置。
【請求項２】
前記支柱が、断面が上辺の開放した中空凸字状をなす型材と同じく断面が中空凸字状をなす型材とからなり、前記断面が上辺の開放した中空凸字状をなす型材の上辺開放側凸部平行面に前記断面が中空凸字状をなす型材の凸部平行面を内接嵌合することにより断面外形が両側面に凹溝部を有する略角柱状を構成し、前記両側面に直行する少なくとも一方の端面には天地方向に適当間隔を隔てて複数の壁面固定孔が穿設されるとともに、前記支持材が前記棚受け部長手方向端部近傍に重合固着されてなることを特徴とする請求項１記載の収納装置。
【請求項３】
前記支柱の凹溝部の天地方向に間隔を隔てて穿設された取付孔がそれぞれ略円形に形成され、前記垂直支持部に突設された係合突起が前記取付孔に嵌合する略円柱状に形成されるとともに、前記複数の取付孔が前記係合突起の上下両端近傍間の間隔に等しい間隔で穿設されていることを特徴とする請求項１および２記載の収納装置。
【請求項４】
前記支柱を構成する、断面が上辺の開放した中空凸字状をなす型材の開放側凸部平行面の厚さが、他の面よりやや厚みを増して形成されていることを特徴とする請求項１乃至３記載の収納装置。
【発明の詳細な説明】
【技術分野】
【０００１】
本発明は、居室内或いは収納庫内に架設される棚板などの収納装置において、使用される支柱及び支柱間に架設される棚板を支持する棚受け部材からなる収納装置に関するものである。
【背景技術】
【０００２】
従来、収納庫や居室内の収納空間に棚板などを架設する場合、長さ方向の適当間隔おきに取付孔が穿設された支柱と、該支柱の取付孔を使用して任意の高さの一側面に取り付けられる嵌合部材を有する棚受けと、該棚受けに載置固定される棚板とから構成される装置である。このうち、支柱の固定方法に関しては、天井面と床面とに支柱を展張して固定する方法、壁面と床面とを併用して固定する方法、壁面に固定する方法などがあり、各種の提案がなされている。天井面と床面とに支柱を展張して固定する方法（例えば特許文献１参照）は、固定位置の自由性という点で優れているものの、支柱寸法が長大となることによる安定性の低下並びに床面固定部分は、固定部分付近の物品移動に支障を来たし、誤って衝突した場合には固定部分の移動による収納ラック本体の損傷や設置状態の歪みが発生したり、使用者の転倒事故の原因となる可能性とともに、固定部分近辺の床面清掃の困難さを生じやすかった。
【特許文献１】特開２０００−３１６６５６号公報
【０００３】
また、壁面と床面とを併用して固定する方法（例えば特許文献２参照）は、支柱を壁面から離して固定できることで棚受け板の前後方向中央位置を支えることとなり、支柱及び棚受け板への荷重バランスを良好に保つことが出来る反面、壁面及び床面双方への固定作業が必要となることで支柱の垂直状態での設置の難度が高く、設置位置の歪み等による棚板の水平性を損ない易いものであり、しかも挿通穴（棚受け板の取付孔）が棚受け板の引っ掛け片を挿通係合する為の上部長穴と傾斜した下部長穴との連続形成されたものであるため、強度不足によって発生する変形による係合不良が発生しやすく、また長穴部分は係合位置の不安定さを引き起こし易いので、同じく棚板の水平性を損ない易いものであった。また床面固定部分は、固定部分付近の物品移動に支障を来たし、誤って衝突した場合には固定部分の移動による収納ラック本体の損傷や設置状態の歪みが発生したり、使用者の転倒事故の原因となる可能性とともに、固定部分近辺の床面清掃の不便さを生じやすかった。
【特許文献２】特開２００３−２３５６５２号公報
【０００４】
一方、支柱を壁面への取り付ける固定方法は、支柱の垂直状態での設置が容易で、かつ壁面のみへの固定である点で作業性に優れており、支柱が長大とならずかつ壁面に密着している点で支持装置全体の安定性にも優れている。また床面に固定部分が無いため、床面清掃や床面での物品の移動等にも支障を生じることが無い。しかしながら、壁面への支柱の直接固定では、支柱の表面部分に固定部品が露出する場合があり、外観意匠性を損なうばかりでなく、固定ネジの緩み発生等によって固定ネジ頭部が突出した際、誤って身体部位や衣服を損傷したりする危険性も考えられた。また、支柱へ取り付けられる棚受け部は、壁面から正面に向けての片持ちばりとなるので、棚板並びに棚受け部自体の水平性維持の困難性と、支柱に穿設された取付孔並びに棚受け部の強度不足の発生という欠点が考えられた。
【発明の開示】
【発明が解決しようとする課題】
【０００５】
そこで、本発明の目的は、上記問題を解決するため、壁面に固定される支柱と該支柱間に架設される棚板を支持する棚受け部材からなる収納装置であって、支柱を構成する型材の新規な構造によって、支柱の垂直状態での設置が容易で、かつ壁面のみへの固定である点で作業性に優れ、支柱が長大とならずかつ壁面に密着している点で支持装置全体の安定性にも優れているばかりでなく、支柱表面への固定部品の露出を無くし、外観意匠性を損なわず、かつ身体部位や衣服の損傷の危険性を無くすとともに、支柱に穿設された取付孔の強度を保ち、また棚受け部材の新規な構造によって、棚受け部材の強度を保持するとともに、棚板並びに棚受け部材の水平性を維持する収納装置を提供するものである。
【課題を解決するための手段】
【０００６】
上記課題を解決するため、請求項１の発明は、少なくとも２本の支柱と、該支柱の対向する側面にそれぞれ取り付けられる棚受け部材と、該棚受け部材間に取り付けられ懸架する棚板とで構成される収納装置において、前記支柱は両側面に凹溝部を有する略角柱状であって、前記凹溝部の天地方向に間隔を隔てて複数の取付孔が穿設されてなり、前記棚受け部材が、それぞれ縦片と横片とで断面略Ｌ字状に形成される棚受け部と、前記支柱側面の凹溝部に嵌挿され前記支柱の凹溝部に当接する面の上下両端近傍に前記取付孔に係合する係合突起を突設した垂直支持部と前記棚受け部横片を保持する水平支持部とで断面略Ｌ字状に形成される支持材とからなることを特徴とする収納装置であって、棚受け部材を構成する垂直支持部が支柱の凹溝部に嵌挿されるとともに、垂直支持部の支柱凹溝部当接面の上下両端近傍に突設された係合突起が支柱凹溝部に穿設された取付孔に係合されるので、棚受け部材は支柱に対し安定して取り付けられ、懸架される棚板の水平性を維持するものである。
【０００７】
また請求項２の発明は、前記支柱が、断面が上辺の開放した中空凸字状をなす型材と同じく断面が中空凸字状をなす型材とからなり、前記断面が上辺の開放した中空凸字状をなす型材の上辺開放側凸部平行面に前記断面が中空凸字状をなす型材の凸部平行面を内接嵌合することにより断面外形が両側面に凹溝部を有する略角柱状を構成し、前記両側面に直行する少なくとも一方の端面には天地方向に適当間隔を隔てて複数の壁面固定孔が穿設されるとともに、前記支持材が前記棚受け部長手方向端部近傍に重合固着されてなることを特徴とする請求項１記載の収納装置であって、支柱は、断面が上辺の開放した中空凸字状をなす型材の底辺面に穿設された複数の壁面固定孔を型材内面から貫通させた壁面固定用ネジなどによって壁面に固定されるので、固定用ネジの頭部が支柱の表面に露出することがなく、さらに断面が上辺の開放した中空凸字状をなす型材の開放側凸部平行面に前記断面が中空凸字状をなす型材の凸部が内接嵌合することにより両側面に凹溝部を有する略角柱状に組み合わされて構成されるので、前記固定用ネジ頭部は支柱の内部に埋設されることとなる。
【０００８】
また請求項３の発明は、前記支柱の凹溝部の天地方向に間隔を隔てて穿設された取付孔がそれぞれ略円形に形成され、前記垂直支持部に突設された係合突起が前記取付孔に嵌合する略円柱状に形成されるとともに、前記複数の取付孔が前記係合突起の上下両端近傍間の間隔に等しい間隔で穿設されていることを特徴とする請求項１および２記載の収納装置であって、支持材の垂直支持部上下両端近傍二箇所に突設された略円柱状の係合突起が、支柱に穿設された円形の取付孔に係合することで、取付孔の強度を保ちながら、さらに取り付け位置が安定するとともに懸架される棚板の水平性が維持される。
【０００９】
また請求項４の発明は、前記支柱を構成する、断面が上辺の開放した中空凸字状をなす型材の開放側凸部平行面の厚さが、他の面よりやや厚みを増して形成されていることを特徴とする請求項１乃至３記載の収納装置であって、断面が上辺の開放した中空凸字状をなす型材の開放側凸部平行面の厚さを増して形成することで、取付孔が深くなり棚受け部材の係合突起の係合がより安定するとともに、取付孔の穿設による強度低下を補って耐荷重性を維持する。
【発明の効果】
【００１０】
本発明の収納装置は、支柱が壁面に取り付けられ固定されるので、支柱の垂直状態での設置が容易で、壁面のみへの固定である点で作業性に優れている。また天井面や床面に固定する方法に比して支柱が長大とならず、壁面に密着しているので収納装置全体の安定性にも優れている。さらに床面に固定部分が無いので、収納装置近辺の床面での物品の移動等にも支障を生じることが無く、物品や使用者の衝突によって生じる固定部分の移動が起こらないので収納ラック本体の損傷や設置状態の歪みも生じず、転倒事故の発生も防ぐことが出来る。また固定部分近辺の床面清掃の不便さを生じることがない。
【００１１】
壁面に取り付けられる支柱が、断面が上辺の開放した中空凸字状をなす型材と同じく断面が中空凸字状をなす型材とで構成され、前記断面が上辺の開放した中空凸字状をなす型材の底側面に穿設された複数の壁面固定孔を型材内面から貫通させた壁面固定用ネジなどによって壁面に固定されるので、固定用ネジの頭部が支柱の表面に露出することがなく、外観意匠性を損なうことがないという効果が得られ、さらに断面が上辺の開放した中空凸字状をなす型材の開放側凸部平行面に断面が中空凸字状をなす型材の凸部平行面が内接嵌合することにより断面外形が両側面に凹溝部を有する略角柱状に組み合わされて構成されるので、前記固定用ネジ頭部は支柱の内部に埋設されることとなり、外観意匠性を保持するとともに固定ネジの緩み発生等によって固定ネジ頭部が突出した際、誤って身体部位や衣服を損傷したりする危険性を無くす効果が得られる。
【００１２】
棚受け部材は、縦片と横片とで断面略Ｌ字状に形成される棚受け部に、垂直支持部と水平支持部とで断面略Ｌ字状に形成される支持材が棚受け部長手端部近傍に重合固着されることによって、棚板を保持固定する棚受け部横片と、支柱側面凹溝部に嵌挿される支持材の垂直支持部とで形成される直角が安定しており、かつ垂直支持部の上下両端近傍に突設された二箇所の略円柱状の係合突起が、支柱に穿設された略円形の取付孔に係合するので、取り付け位置が安定するとともに懸架される棚板の水平性が維持される効果を有する。また取付孔は略円形に穿設されているために、変形が生じにくく係合不良が発生し難いという利点を有するものである。
【発明を実施するための最良の形態】
【００１３】
上記の本発明について、図面等を用いて以下に詳述する。図１（ａ）は本発明に係る収納装置の実施形態の支柱構成と壁面への取り付け状態を示す一部切欠分解斜視図（壁面部断面）。（ｂ）は同じく一部切欠平面図（壁面部断面）。図２（ａ）は同じく実施形態の支柱の組み合わせ状態を示す断面図。（ｂ）は同じく一部切欠斜視図。図３（ａ）は同じく実施形態の棚受け部材のうち、支持材の斜視図。（ｂ）は同じく実施形態の棚受け部材のうち、棚受け部の一部切欠斜視図。図４（ａ）は同じく実施形態の対向する棚受け部材を示す一部切欠斜視図。（ｂ）は同じく実施形態の一方の棚受け部材の左側面図。（ｃ）は同じく背面方向から見た断面図。（ｄ）は同じく一部切欠右側面図。図５（ａ）は同じく実施形態の棚板と棚受け部材との関係を説明する一部切欠正面図。（ｂ）は同じく一部切欠平面図。図６（ａ）は同じく実施形態の棚板と棚受け部材と支柱との関係を説明する一部切欠平面図。（ｂ）は同じく棚板中央部方向から見た一部切欠左側面図。図７（ａ）は同じく実施形態の支柱へのキャップの取り付け状態を示す一部切欠分解斜視図。（ｂ）は同じく一部切欠斜視図。図８（ａ）は同じく実施形態の具体的な組み付け例を示す正面図。（ｂ）は同じく側面図である。
【００１４】
図２（ａ）及び（ｂ）に示す支柱１は、アルミニウム等の金属で形成される二種類の型材すなわち断面が上辺の開放した中空凸字状をなす型材１ａと同じく断面が中空凸字状をなす型材１ｂとからなり、前記断面が上辺の開放した中空凸字状をなす型材１ａの開放側凸部平行面１３、１３に前記断面が中空凸字状をなす型材１ｂの凸部平行面１５、１５を内接嵌合することにより、断面外形が両側面に凹溝部２、２を有する略角柱状に組み合わされるものであって、前記断面が上辺の開放した中空凸字状をなす型材１ａの底辺側面１０の幅方向略中央には、型材の長さ方向にわたって複数個の壁面固定孔Ａが穿設され、同じく開放側凸部平行面１３、１３には、型材の長さ方向にわたって複数個の取付孔Ｂが穿設されている。前記壁面固定孔Ａは型材の長さ方向両端近傍および型材の長さによって安定的固定のために中間部に適宜複数個が穿設されることが望ましい。また前記取付孔Ｂは後述する棚受け部材３および４に突設される上下二つの係合突起３２、３２が係合されるものであるが、前記上下二つの係合突起３２、３２間の間隔で、型材の長さ方向にわたって複数個が穿設されるものである。前記取付孔Ｂの深さは前記係合突起３２、３２の係合度合いに係り、前記開放側凸部平行面１３、１３の厚みにより変化するもので、実施形態のように型材の他の各面よりやや厚みを増して形成することもできる。
【００１５】
図１（ａ）は、前記支柱１の壁面２０１への取り付け状態を示す一部切欠分解斜視図（壁面部断面）で、壁面２０１に長手方向を垂直にして断面が上辺の開放した中空凸字状をなす型材１ａの底辺側面１０を当接し、図１（ｂ）の平面図に示すように型材内面より壁面固定ネジ１０１を壁面固定孔Ａに貫通させ壁面２０１に螺入して取り付け固定する。次に断面が中空凸字状をなす型材１ｂの凸部平行面１５、１５を断面が上辺の開放した中空凸字状をなす型材１ａの開放側凸部平行面１３、１３に嵌挿し内接嵌合するとともに、図示しないがビス等によって型材同士の固着を行い支柱１の取り付けを完了する。これによって支柱１は図２（ａ）及び（ｂ）に示すように、断面外形が両側面に凹溝部２、２を有する略角柱状に形成されるとともに、同一壁面２０１の相等しい高さで所定の横幅を隔てた位置に長手方向を垂直にして取り付けられた別の支柱１とは、双方の凹溝部２を有する側面すなわち前述の断面が上辺の開放した中空凸字状をなす型材１ａの開放側凸部平行面１３に穿設された複数個の取付孔Ｂが対向する状態（図示せず）となる。
【００１６】
図３（ａ）は、実施形態の棚受け部材を構成する支持材３ａの斜視図で、アルミニウム等の金属を切削加工して、上下両端近傍外向きに係合突起３２、３２が突設された垂直支持部３０と水平支持部３１とで断面略Ｌ字状に形成された支持材３ａで、前記垂直支持部３０の幅方向略中心線上には後述の棚受け部縦片３３に当接する位置で長手方向に適当な間隔をおいて垂直支持部固定ネジ孔Ｃ、Ｃがそれぞれ穿設されるとともに、前記水平支持部３１の幅方向略中心線上には後述の棚受け部横片３４に当接する位置で水平支持部固定ネジ孔Ｄが穿設されている。前記垂直支持部３０は前述の支柱１側面の凹溝部２に嵌挿される幅と前記凹溝部２の深さに略等しい厚みとを有し、後述の棚受け部縦片３３の高さよりやや長い長さを有する角柱状で、前記水平支持部３１は前記垂直支持部３０の厚みと略等しい厚みと後述の棚受け部横片３４の幅に略等しい奥行き幅を有し、該奥行き幅に略倍する長さを有する平板状に形成される。
【００１７】
図３（ｂ）は、実施形態の棚受け部材を構成する棚受け部３ｂの一部切欠斜視図で、金属板の折り曲げ等板金加工によって、縦片３３と横片３４とで断面略Ｌ字状に形成されるもので、前記縦片３３の長さ方向一方の端部近傍には皿状の縦片固定孔Ｅ、Ｅが、前記横片３４の長さ方向一方の端部近傍には皿状の横片固定孔Ｆが、それぞれ前述の支持材３ａに穿設された垂直支持部固定ネジ孔Ｃ、Ｃ及び水平支持部固定ネジ孔Ｄに対応する位置に穿設されている。別に前記横片３４の長さ方向両端より内側の所定位置にそれぞれ棚板固定孔Ｇ、Ｇが穿設されている。
【００１８】
図４（ａ）は、実施形態の対向する棚受け部材を示す一部切欠斜視図。（ｂ）は同じく実施形態の一方の棚受け部材の左側面図。（ｃ）は同じく背面方向から見た断面図。（ｄ）は同じく一部切欠右側面図で、それぞれ前述の棚受け部３ｂに支持材３ａを取り付けて棚受け部材３を構成する状態を示すとともに、棚受け部材３に対向して支柱１に取り付けられる棚受け部材４の構成を説明するものである。図４（ａ）乃至（ｄ）に示すように、棚受け部３ｂの長手方向一方の端部所定位置に外側から支持材３ａを当接重合し、棚受け部３ｂ側からそれぞれ縦片固定孔Ｅ、Ｅおよび横片固定孔Ｆを貫通させて垂直支持部固定ネジ１０２、１０２および水平支持部固定ネジ１０３を支持材３ａにそれぞれ穿設された垂直固定ネジ孔Ｃ、Ｃおよび水平固定ネジ孔Ｄに螺入させて棚受け部材３の組み立て固定を完了するもので、図４（ａ）に示すように、棚受け部材３に対向して支柱１に取り付けられる棚受け部材４は、棚受け方向が反転するため支持材３ａの取り付け位置を反転した棚受け部すなわち縦片固定孔Ｅ、Ｅおよび横片固定孔Ｆの穿設位置を反転したものを用いるものである。尚、図４（ａ）及び（ｃ）に示すように、前記固定には所定の長さの皿状ビスを用いるので、棚受け部のＬ字状内面及び支持材のＬ字状外面には、ビスの突出は生じない。
【００１９】
図５（ａ）は実施形態の棚板と棚受け部材との関係を説明する一部切欠正面図。（ｂ）は一部切欠平面図で、図５（ａ）および（ｂ）に示す棚板５は、天然木材、合板材、構造材等を切断その他の加工を施してなる所定の幅と前述の棚受け部材の長さの奥行き幅を持つ板材であって、棚板５裏面の幅方向両端部近傍で奥行き幅方向両端より内側にはそれぞれ棚受け部材との接合のためにナット穴４１、４１、４１、４１が穿設されてなり、対向する棚受け部材間に当接載置された後、それぞれ棚受け部材の横片３４側から貫通される固定ネジ等によって棚受け部材と固定されるものである。尚、棚板５は図８（ａ）及び（ｂ）に示すように、その奥行き幅の大きい棚板７としても良い。
【００２０】
図６（ａ）は実施形態の棚板と棚受け部材と支柱との関係を説明する一部切欠平面図。（ｂ）は棚板中央部方向から見た一部切欠左側面図で、図６（ａ）及び（ｂ）に示すように、所定の幅間隔を隔てて壁面に取り付けられ（図示せず）側面の対向する支柱１、１のそれぞれの凹溝部２、２に、棚受け部材３、４のそれぞれの垂直支持部３０が嵌挿されるとともに、同じ高さの所定位置の取付孔Ｂ、Ｂに係合突起３２、３２が係合され、棚板５が当接載置された後、前述のように固定ネジ等によって棚受け部材３、４と固定されて棚板の取付が完了する。
【００２１】
図７（ａ）は実施形態の支柱へのキャップの取り付け状態を示す一部切欠分解斜視図。（ｂ）は同じく一部切欠斜視図で、キャップ６は支柱１の長手方向両端部に取り付けられる化粧材であって、ポリエチレン、ポリプロピレン、ポリカーボネート、ＡＢＳ樹脂その他の熱可塑性合成樹脂を、射出成型等の成型方法を用いて形成される成型品或いは金属・木材等の切削加工によって形成されるもので、壁面に当接する背面壁６６、側面壁６７、６７、傾斜正面壁６１及び頂面壁６８と底面の支柱端面当接部６２で構成される側断面直角台形の変形角柱と、前記底面の支柱端面当接部６２から支柱１の中空部に差し込まれるロ字状差込６３、凸字状差込６４及び支柱１の側面凹溝部２、２に外嵌当接する傾斜突起６５、６５を立設したものである。取り付けにあたっては、壁面に固定され組み立てられた支柱１の長手方向両端部より前記ロ字状差込６３、凸字状差込６４を支柱１の中空部に差し込むとともに、前記傾斜突起６５、６５を支柱１の側面凹溝部２、２に外嵌当接し、前記支柱端面当接部６２を支柱１の端面に当接して完了する。キャップ６が支柱１の長手方向両端部に取り付けられることにより、支柱を構成する型材端部の鋭利な角部によって身体部位を傷つけることを無くすとともに、外観意匠性を良好なものとすることが出来る。
尚、キャップ６の形状は実施形態に限定されるものでは無く、支柱１の両端部をカバーするとともに、容易に外れない固定構造を選択できる。
【００２２】
図８（ａ）は実施形態の具体的な組み付け例を示す正面図。（ｂ）は同じく側面図で、本発明の収納装置に係る支柱１、棚受け部材３、棚板５等を用いた、収納空間における施工状態の具体例であって、図８（ａ）および（ｂ）に示すように、壁面２０１に適当な間隔を隔て床面２０２よりやや高い位置に垂直に取り付けられた４本の支柱１と、それぞれの対向する支柱１の側面に棚受け部材３と該棚受け部材３間に載置固定され懸架した棚板５が三列で上から四段の棚を構成しており、正面右側下部の支柱１間には奥行き幅の大きい棚板７を棚受け部材３間に載置固定し懸架するとともに前記棚板７の正面側両端部底面にそれぞれ支持脚８、８を取り付けてライティングデスクを構成し、正面左側下部の支柱１間にもやや低い位置にも奥行き幅の大きい棚板７を棚受け部材３間に載置固定し懸架するとともに前記棚板７の正面側両端部底面にそれぞれ支持脚８、８を取り付けてパソコンデスクを構成したものである。尚、正面中央の支柱１間下部に収納されているのは移動型のローチェスト３０２である。
【図面の簡単な説明】
【００２３】
【図１】（ａ）本発明の実施形態の支柱構成と壁面への取り付け状態を示す一部切欠分解斜視図（壁面部断面）である。              （ｂ）同じく一部切欠平面図（壁面部断面）である。
【図２】（ａ）同じく実施形態の支柱の組み合わせ状態を示す断面図である。              （ｂ）同じく一部切欠斜視図である。
【図３】（ａ）同じく実施形態の棚受け部材のうち、支持材の斜視図である。              （ｂ）同じく実施形態の棚受け部材のうち、棚受け部の一部切欠斜視図である。
【図４】（ａ）同じく実施形態の対向する棚受け部材を示す一部切欠斜視図である。              （ｂ）同じく実施形態の一方の棚受け部材の左側面図である。              （ｃ）同じく背面方向から見た断面図である。              （ｄ）同じく一部切欠右側面図である。
【図５】（ａ）同じく実施形態の棚板と棚受け部材との関係を説明する一部切欠正面図である。              （ｂ）同じく一部切欠平面図である。
【図６】（ａ）同じく実施形態の棚板と棚受け部材と支柱との関係を説明する一部切欠平面図である。              （ｂ）同じく棚板中央部方向から見た一部切欠左側面図である。
【図７】（ａ）同じく実施形態の支柱へのキャップ部の取り付け状態を示す一部切欠分解斜視図である。              （ｂ）同じく一部切欠斜視図である。
【図８】（ａ）同じく実施形態の具体的な組み付け例を示す正面図である。              （ｂ）同じく側面図である。
【符号の説明】
【００２４】
１              支柱
１ａ            断面が上辺を開放した中空凸字状をなす型材
１ｂ            断面が中空凸字状をなす型材
２              凹溝部
３、４          棚受け部材
３ａ            支持材
３ｂ            棚受け部
５              棚板
６              キャップ
７              棚板
８              支持脚
１０〜１３      １ａの型材を構成する各面
１４〜１８      １ｂの型材を構成する各面
３０            垂直支持部
３１            水平支持部
３２            係合突起
３３            縦片
３４            横片
４１            ナット穴
６１            傾斜正面壁
６２            支柱端面当接部
６３            ロ字状差込
６４            凸字状差込
６５            傾斜突起
６６            背面壁
６７            側面壁
６８            頂面壁
１０１          壁面固定ネジ
１０２          垂直支持部固定ネジ
１０３          水平支持部固定ネジ
１０４          棚板固定ネジ
２０１          壁面
２０２          床面
３０１          ローチェスト
Ａ              壁面固定孔
Ｂ              取付孔
Ｃ              垂直支持部固定ネジ孔
Ｄ              水平支持部固定ネジ孔
Ｅ              縦片固定孔
Ｆ              横片固定孔
Ｇ              棚板固定孔
【図１】
2005253690.tif 000003
【図２】
2005253690.tif 000004
【図３】
2005253690.tif 000005
【図４】
2005253690.tif 000006
【図５】
2005253690.tif 000007
【図６】
2005253690.tif 000008
【図７】
2005253690.tif 000009
【図８】
2005253690.tif 000010